(57)【要約】本発明は、無線チャネル上の無線インターフェースを通したデータストリームによって上記ユーザイクイップメント（１８）と通信する通信ネットワークノード（１５）を備える通信ネットワークにおける無線資源の割当てを容易にする方法および構成に関する。所定数のビットの長さを有するチャネル品質メッセージが提供され、上記通信にシングルデータストリーム送信またはマルチデータストリームが選択される場合に得られるチャネル品質を比較することに使用される情報を含む。そうすると、使用可能な無線資源は、上記チャネル品質メッセージに基づいて割り当てられる。【選択図】図１
2010507969.tif 000002
【特許請求の範囲】
【請求項１】
ユーザイクイップメントにおける、無線チャネル上の無線インターフェースを通してデータストリームによって前記ユーザイクイップメント（１８）と通信する通信ネットワークノード（１５）を備える通信ネットワークにおける無線資源の割当てを容易にする方法において、
前記通信に、シングルデータストリーム送信が選択される場合に、またはマルチデータストリーム送信が選択される場合に、得られるチャネル品質を比較することに使用される情報を含む所定数のビットの長さを有するチャネル品質メッセージを送信し、それにより前記通信ネットワークノードは前記チャネル品質メッセージに基づいて使用可能な無線資源を割り当てる、ステップを含むこと、を特徴とする方法。
【請求項２】
前記メッセージの１ビットが、いくつのデータストリームを前記ユーザイクイップメントが所望するかを示すことに使用される、請求項１に記載の方法。
【請求項３】
前記メッセージにおけるシーケンスが、いくつのデータストリームを前記ユーザイクイップメントが所望するかを示すことに使用される、請求項１に記載の方法。
【請求項４】
前記メッセージは、いくつのデータストリームを前記ユーザイクイップメントが所望するかを示すために、異なるやり方でスクランブルされる、請求項１に記載の方法。
【請求項５】
前記メッセージは、２ストリーム送信が示される場合に前記第１のデータストリームに対するチャネル品質インジケータを含み、また前記第１のデータストリームと前記少なくとも１つの第２のデータストリームとのチャネル品質間の差異も含む、請求項２〜４のいずれかに記載の方法。
【請求項６】
前記メッセージは、シングルストリーム送信が示される場合に前記データストリームに対するチャネル品質インジケータを含み、またマルチストリーム送信が前記通信ネットワークノードによって選択される場合に品質がどれだけ悪くなるかに関する情報も含む、請求項２〜４のいずれかに記載の方法。
【請求項７】
前記メッセージは、前記第１のデータに対する第１のチャネル品質インジケータと前記少なくとも１つの第２のデータストリームに対する第２のチャネル品質インジケータとを含む、請求項２〜４のいずれかに記載の方法。
【請求項８】
通信ネットワークノードにおける、無線チャネル上の無線インターフェースを通してユーザイクイップメント（１８）とデータストリームによって通信する前記通信ネットワークノード（１５）を備える通信ネットワークにおける無線資源の割当てを容易にする方法において、
前記通信に、シングルデータストリーム送信が選択される場合に、またはマルチデータストリーム送信が選択される場合に、得られるチャネル品質を比較することに使用される情報を含む所定数のビットの長さを有するチャネル品質メッセージを受信するステップと、
前記チャネル品質メッセージに基づいて使用可能な無線資源を割り当てるステップと
を含むことを特徴とする方法。
【請求項９】
ユーザイクイップメントにおける、無線チャネル上の無線インターフェースを通して前記ユーザイクイップメント（１８）とデータストリームによって通信する通信ネットワークノード（１５）を備える通信ネットワークにおける無線資源の割当てを容易にする構成において、
前記通信に、シングルデータストリーム送信が選択される場合に、またはマルチデータストリーム送信が選択される場合に、得られるチャネル品質を比較することに使用される情報を含む所定数のビットの長さを有するチャネル品質メッセージを送信し、それにより、前記通信ネットワークノード（１５）は前記チャネル品質メッセージに基づいて使用可能な無線資源を割り当てる、手段（３６、３８）
を備えることを特徴とする構成。
【請求項１０】
前記チャネル品質メッセージを提供する手段（３８）は、いくつのデータストリームを前記ユーザイクイップメント（１８）が所望するかを示すために、前記メッセージの１ビット（２１）を使用する、請求項９に記載の構成。
【請求項１１】
前記チャネル品質メッセージを提供する手段（３８）は、いくつのデータストリームを前記ユーザイクイップメントが所望するかを示すために、前記メッセージにおけるシーケンスを使用する、請求項９に記載の構成。
【請求項１２】
前記チャネル品質メッセージを提供する手段（３８）は、いくつのデータストリームを前記ユーザイクイップメントが所望するかを示すために、異なるやり方で前記メッセージをスクランブルする、請求項９に記載の構成。
【請求項１３】
前記チャネル品質メッセージを提供する手段（３８）は、２ストリーム送信が示される場合に前記第１のデータストリームに対するチャネル品質インジケータを前記メッセージへ入力し、また前記第１のデータストリームと前記少なくとも１つの第２のデータストリームとのチャネル品質間の差異を前記メッセージへ入力する、請求項１０〜１２のいずれかに記載の構成。
【請求項１４】
前記チャネル品質メッセージを提供する手段（３８）は、シングルストリーム送信が示される場合に前記第１のデータストリームに対するチャネル品質インジケータを前記メッセージへ入力し、またマルチストリーム送信が前記通信ネットワークノードによって選択される場合に品質がどれほど悪くなるかに関する情報を入力する、請求項１０〜１２のいずれかに記載の構成。
【請求項１５】
前記チャネル品質メッセージを提供する手段（３８）は、前記第１のデータストリームに対する第１のチャネル品質インジケータと前記少なくとも１つの第２のデータストリームに対する第２のチャネル品質インジケータを前記メッセージへ入力する、請求項１０〜１２に記載の構成。
【請求項１６】
通信ネットワークにおける、無線チャネル上の無線インターフェースを通してユーザイクイップメント（１８）とデータストリームによって通信する前記通信ネットワークノード（１５）を備える通信ネットワークにおける無線資源の割当てを容易にする構成において、
前記通信に、シングルデータストリーム送信が選択される場合に、またはマルチデータストリームが選択される場合に、得られるチャネル品質を比較することに使用される情報を含む所定数のビットの長さを有するチャネル品質メッセージを受信する手段（３１）と、
前記チャネル品質メッセージに基づいて使用可能な無線資源を割り当てる手段（３３）と
を備えることを特徴とする構成。
【発明の詳細な説明】
【技術分野】
【０００１】
本発明は、通信システムにおける方法および構成に関し、特に、通信ネットワークにおいて無線資源を割り当てることを可能にする構成、およびそのような割当てのための方法に関する。
【背景技術】
【０００２】
例えば高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）においては、ＣＱＩ、すなわちチャネル品質インジケータ（Ｃｈａｎｎｅｌ  Ｑｕａｌｉｔｙ  Ｉｎｄｉｃａｔｏｒ）を使用して、無線リンクのレートが調整される。ユーザイクイップメント（ＵＥ：ｕｓｅｒ  ｅｑｕｉｐｍｅｎｔ）は、無線チャネルの品質、すなわちＳＩＮＲの関数を測定し、その値またはＳＩＮＲの関数をネットワークに報告する。次にネットワークスケジューラがこの値を使用して、送信パラメータ、例えば変調順や符号化レートを調整可能であり、それによりＵＥは任意のエラー確率で復号することができる。
【０００３】
ＭＩＭＯ（ｍｕｌｔｉｐｌｅ  ｉｎｐｕｔ  ｍｕｌｔｉｐｌｅ  ｏｕｔｐｕｔ：多入力多出力）送信／受信能を導入すると、リンク適応、ゆえにＣＱＩ報告は、１送信時間（ＴＴＩ：ｔｒａｎｓｍｉｓｓｉｏｎ  ｔｉｍｅ  ｉｎｔｅｒｖａｌ）中に送信されるデータの複数のストリーム間で別々に処理可能である。この場合、ＵＥはデータストリームごとのＣＱＩを測定し、これをネットワークへ報告するであろう。するとネットワークはこの情報を用いて、ストリームのリンク適応を行うことが可能である。この種の別々の適応は最適なものからは程遠い、ということが注目されている。チャネル条件が悪化すると、送信されるデータストリームが少なくなる場合がある、ということも周知である。これを時に送信信号のランク適応という。
【０００４】
例えば、２つのＴｘアンテナとＲｘアンテナとがシステムにおいて使用される場合、２つの別々のストリームの最大が送信可能である。ところが、例えば信号対雑音比（ＳＮＲ：ｓｉｇｎａｌ‐ｔｏ‐ｎｏｉｓｅ  ｒａｔｉｏ）が低い状況については、チャネルがサポートする送信ストリームは１つだけであろう。いくつのストリームを送信するか最終的に決定するのはシステムスケジューラであり、これは瞬間チャネル条件だけでなく、使用可能なシステム資源やスケジューリングバッファ内のデータ量等にも依存するであろう。
【０００５】
ランク選択はＣＱＩ推定に大きな影響を与えるであろう。端末において２つのストリームが期待される場合、それは、干渉する他のストリーム上にデータがあることを考慮して、ストリームごとのＣＱＩ（ＳＩＮＲ）を計算するであろう。これは、ユーザが推定したチャネル品質が、マルチストリーム送信によって引き起こされる干渉を考慮している、ということを意味する。ここでスケジューラが何らかの理由（資源の欠如など）でただ１つのデータストリームをスケジュールする必要がある場合、それは適当なリンク適応を行うことができない。これは、シングルストリーム送信についてのＣＱＩが未知であり、ネットワークによって簡単に導出することができないからである。
【０００６】
この問題に対する１つの解決手段は、ＵＥがマルチストリーム送信についてのＣＱＩを報告するだけではなく、シングルストリームについても報告することにする、ということである。つまりＵＥは、シングルストリームがスケジューリングされたとする品質と、複数のストリームがスケジューリングされたとする品質とを報告する。これは、少なくとも原則では、少なくともストリームの最大数が低い場合（例えば２）には可能である。しかしより大量のストリームが割当て可能である場合、例えば４であるとすると、それは４つの異なる場合について（ストリームごとの）品質を報告しなければならない。
【０００７】
これは、アップリンク（ＵＬ：ｕｐｌｉｎｋ）信号送信量を増加させるであろうが、実際には不可能である。他の解決方法もあり、異なるＣＱＩが時分割多重（ＴＤＭ：ｔｉｍｅ  ｄｉｖｉｓｉｏｎ  ｍｕｌｔｉｐｌｅｘｉｎｇ）方式でフィードバックされる場合もあり、つまりはそれらがＵＬ信号送信チャネル上で時間多重化されるということである。これには適応レートが遅くなるという欠陥がある。システムは同程度までチャネルにおける変動についていけない。
【０００８】
システムが空間分割多元アクセス（ＳＤＭＡ：Ｓｐａｔｉａｌ  Ｄｉｖｉｓｉｏｎ  Ｍｕｌｔｉｐｌｅ  Ａｃｃｅｓｓ）を使用して数ユーザへより少数のストリームを送信しても、上述のような同様の課題が起きるであろう。通常、１ユーザへいくつかのデータストリームを送信し、したがってピークレートを増加させるものとして、ＭＩＭＯが想定される。使用可能なデータストリームをいくつかのユーザ間で分割することも可能である。この場合、ピークレートの増加よりもシステム能力の増加が目標とされる。どのモードをいつ適用するかはスケジューラ次第であり、原則、このような決定はＴＴＩ単位で行える。
【０００９】
この場合におけるスケジューラにとっての課題は、例えばそれが各ユーザへ１つのストリームをスケジューリングするが、マルチユーザ送信のため起こるであろう干渉を反映するＣＱＩを必要とすることになる、ということである。
【発明の概要】
【００１０】
したがって、本発明の目的は、ユーザイクイップメントにおける、無線チャネル上の無線インターフェースを通したデータストリームによって上記ユーザイクイップメントと通信する通信ネットワークノードを備える通信ネットワークにおける無線資源の割当てを容易にする改善された方法を提供することである。
【００１１】
本発明の第１の観点によれば、この目的は、請求項１の特徴部分に限定の方法を通して達成され、請求項１の特徴部分で特定されるのは、上記通信に、シングルデータストリーム送信が選択される場合に、またはマルチデータストリーム送信が選択される場合に、得られるチャネル品質を比較することに使用される情報を含む所定数のビットの長さを有してチャネル品質メッセージが送信される方法によって通信ネットワークにおける無線資源の割当てが容易となる、ということであり、それによって上記通信ネットワークノードは、上記チャネル品質メッセージに基づいて使用可能な無線資源を割り当てるものである。
【００１２】
本発明の別の目的は、通信ネットワークノードにおける、無線チャネル上の無線インターフェースを通したデータストリーミングによってユーザイクイップメントと通信する上記通信ネットワークノードを備える通信ネットワークにおける無線資源の割当てを容易にする改善された方法を提供することである。
【００１３】
本発明の第２の観点によれば、この他の目的は、請求項８の特徴部分に記載の方法を通して達成され、請求項８の特徴部分が特定するのは、上記通信に、シングルデータストリーム送信が選択される場合に、またはマルチストリーム送信が選択される場合に、得られるチャネル品質を比較することに使用される情報を含む所定数のビットの長さを有してチャネル品質メッセージが受信される方法によって通信ネットワークにおける無線資源の割当てが容易となる、ということである。そうすると、使用可能な無線資源は上記チャネル品質メッセージに基づいて割り当てられる。
【００１４】
本発明のさらなる目的は、ユーザイクイップメントにおける、無線チャネル上の無線インターフェースを通したデータストリームによって上記ユーザイクイップメントと通信する通信ネットワークノードを備える通信ネットワークにおける無線資源の割当てを容易にする改善された構成を提供することである。
【００１５】
本発明の第３の観点によれば、このさらなる目的は、請求項９の特徴部分に記載の構成を通して達成され、請求項９の特徴部分が特定するのは、上記通信に、シングルデータストリーム送信が選択される場合に、またはマルチデータストリーム送信が選択される場合に、得られるチャネル品質を比較することに使用される情報を含む所定数のビットの長さを有するチャネル品質メッセージを送信する手段を備える構成によって通信ネットワークにおける無線資源の割当てが容易になり、それによって上記通信ネットワークノードは、上記チャネル品質メッセージに基づいて使用可能な無線資源を割り当てるものである。
【００１６】
本発明のなおもさらなる目的は、通信ネットワークノードにおける、無線チャネル上の無線インターフェースを通したデータストリームによってユーザイクイップメントと通信する上記通信ネットワークノードを備える通信ネットワークにおける無線資源の割当てを容易にする改善された構成を提供することである。
【００１７】
本発明の第４の観点によれば、このさらなる目的は、請求項１６の特徴部分に記載の構成を通して達成され、請求項１６の特徴部分が特定するのは、上記通信に、シングルデータストリーム送信が選択される場合に、またはマルチデータストリーム送信が選択される場合に、得られるチャネル品質を比較することに使用する情報を含む所定数のビットの長さを有するチャネル品質メッセージを受信する手段と、上記チャネル品質メッセージに基づいて使用可能な無線資源を割り当てる手段とを備える構成によって通信ネットワークにおける無線資源の割当てが容易になる、ということである。
【００１８】
さらなる実施形態を従属請求項に挙げる。
【００１９】
改善されたチャネル品質報告スキームの供給のおかげで、無線基地局スケジューラは、異なるユーザからのＣＱＩフィードバックとプレコーディングフィードバックに基づいて、シングルストリーム、２ストリームをスケジュールするか、またはＳＤＭＡを使用して異なるユーザ間で資源を分割するかどうかの通知決定を行うことが可能である。
【００２０】
なお、本発明の他の目的および特徴は、添付図面に関して考慮する以下の発明を実施するための形態から明らかとなるであろう。しかしながら、図面は例示のみを目的としてデザインしたものであり、本発明を限定する定義としてデザインしたものではない、ということが理解されるべきであり、参照は、添付の特許請求の範囲に対して行われるべきものである。図面は必ずしも寸法どおりに描いたものではなく、寸法が示してあるとしても、ここで説明する構造および手続を概念的に示すことを単に意図したものである、ということもさらに理解されるべきである。
【００２１】
図面において、類似の参照文字は数図にわたり同様のエレメントを表している。
【図面の簡単な説明】
【００２２】
【図１】本発明による通信ネットワークアーキテクチャを示す。
【図２】本発明のある好ましい実施形態によるチャネル品質報告スキームを説明する。
【図３】本発明による構成を備えるユーザイクイップメントと通信ネットワークノードとを説明するブロック図である。
【図４】ユーザイクイップメントにおける本発明の手続ステップを説明するフローチャートである。
【図５】無線基地局における本発明の手続ステップを説明するフローチャートである。
【発明を実施するための形態】
【００２３】
図１は、ＵＭＴＳ地上波無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）アーキテクチャのような無線アクセスネットワーク（ＲＡＮ：Ｒａｄｉｏ  Ａｃｃｅｓｓ  Ｎｅｔｗｏｒｋ）を備える通信システムを示し、１または２以上の無線ネットワークコントローラ（ＲＮＣ：Ｒａｄｉｏ  Ｎｅｔｗｏｒｋ  Ｃｏｎｔｒｏｌｌｅｒ）１０に接続される少なくとも１つの無線基地局（ＲＢＳ：Ｒａｄｉｏ  Ｂａｓｅ  Ｓｔａｔｉｏｎ）（ｅノードＢまたはノードＢ）１５（図１では２つ示す）を備える。ＲＡＮはコアネットワーク（ＣＮ：Ｃｏｒｅ  ｎｅｔｗｏｒｋ）１２に接続される。ＲＡＮおよびＣＮ１２は、複数のユーザイクイップメント（ＵＥ：ｕｓｅｒ  ｅｑｕｉｐｍｅｎｔ）１８に通信と制御とを提供し、各ユーザイクイップメント１８はダウンリンク（ＤＬ：ｄｏｗｎｌｉｎｋ）チャネル１６とアップリンク（ＵＬ：ｕｐｌｉｎｋ）チャネル１７と使用する。明確にするため、アップリンクチャネルは１つだけ示し１７、ダウンリンクチャネルも１つだけ示す１６。ダウンリンクチャネル１６上で、ＲＢＳ１５は各ユーザイクイップメント１８へそれぞれの電力レベルで送信する。アップリンクチャネル１７上で、ユーザイクイップメント１８はＲＢＳ１５へそれぞれの電力レベルでデータを送信する。
【００２４】
本発明の好ましい実施形態によれば、通信システムはここではＨＳＤＰＡ通信システムとして説明する。しかしながら、本発明の方法および構成は、ロングタームエボリューション（ＬＴＥ：Ｌｏｎｇ  Ｔｅｒｍ  Ｅｖｏｌｕｔｉｏｎ）システムのような他のパケットベースの通信システムにもとてもよく機能するということを当業者ならば理解する。ユーザイクイップメント１８は、携帯電話（「セルラー式（ｃｅｌｌｕｌａｒ）」電話）や移動ターミネーション付ラップトップのような移動局であってもよく、したがって、例えばポータブル、ポケット、ハンドヘルド、コンピュータ内臓または車両搭載移動体装置である可能性があり、音声および／またはデータをＲＡＮと通信する。
【００２５】
ここで開示するのは、前のセクションにおいて議論した課題を緩和するＣＱＩ報告スキームである。ここで与える例は、ＷＣＤＭＡ仕様のＲｅｌ‐７の一部であるＭＩＭＯスキームに対するものとする。しかしながら、ここで開示するＣＱＩ報告スキームを一般化して、ストリームごとのＣＱＩの独立した報告に依存する全ＭＩＭＯスキームに適用することが可能である、ということが留意される。
【００２６】
一般に、図２に示す提案報告スキームを以下のように説明可能である。固定数のビットが、図２では１０個示してあるが、ＣＱＩに割り当てられる。３つのビットのうち第１の２１（または他のもの）を使用して、残りの９つのビットが１または２のストリームに対するＣＱＩを含むかどうかを示す。１つのビットが残りのビットの使用を示すのではなく、１つのシーケンスが１つのストリーム送信を示すことが可能であり、他のシーケンスはマルチストリーム送信に対応する。適宜、報告スキームは、１つのストリーム送信には１つのやり方でスクランブルされ、マルチストリーム送信には別のやり方でスクランブルされる。
【００２７】
２ストリーム送信が示されると、第１の、例えば５ビット２２はＣＱＩ１に対応し、一方で残りの４ビット２３は、ＣＱＩ１とＣＱＩ２との間の違いを説明可能である。あるいは、ＣＱＩ１およびＣＱＩ２の両方が送信され、例えばＣＱＩ１に４ビット使用し、ＣＱＩ２に４ビット使用する。
【００２８】
１ストリーム送信が示される場合、（上のように）第１の５ビット２２をＣＱＩ１に使用し、残りのビット２３（この場合は４つ）を使用して、無線基地局１５が２ストリーム送信を選択する場合に１つがどれだけ悪いストリームになるかを示す。これは、例えば使用可能なストリームがＳＤＭＡオペレーション中に異なるユーザに分割されるという場合であろう。
【００２９】
上例では、マルチストリーム送信をデュアルストリーム送信として説明した。しかしながら、データストリームが２以上ある送信にも本発明が適用可能であるということを、当業者ならば理解する。
【００３０】
図３は、本発明の構成を設けたユーザイクイップメント１８と無線基地局１５とを示すブロック図である。ユーザイクイップメント１８は、ＲＢＳ１５の受信機３１へ無線インターフェースを通してアップリンクチャネル１７上でデータを送信する無線送信機３６と、ＲＢＳ１５の送信機３２からダウンリンクチャネル１６上で送信されるデータを受信する受信機３７とを備える。ユーザイクイップメント１８はチャネル品質メッセージ（上述のＣＱＩ報告スキーム）を提供する手段３８をさらに備え、チャネル品質メッセージは、長さが所定数のビットであり、ある送信データストリームと第２のデータストリームとの間のチャネル品質差異に関する情報を含み、それにより、無線送信機３６は、チャネル品質メッセージを送信するものであり、ＲＢＳ１５はスケジューリング決定を行うこと、すなわち受信したチャネル品質メッセージに基づいて使用可能な無線資源を割り当てることが可能となる。
【００３１】
ＲＢＳ１５は無線送信機３２と受信機３１とを備える。送信機３２は、ユーザイクイップメント１８の受信機３７へ無線インターフェースを通してダウンリンクチャネル１６データを送信している。受信機３１は、ユーザイクイップメント１８からアップリンクチャネル１７上でデータを受信しており、このように、ユーザイクイップメント１８が送信するチャネル品質メッセージを受信するものである。ＲＢＳ１５は、使用可能な無線資源に関するスケジューリング決定を行う手段３３をさらに備える、すなわち。図４は、例示のみとして、ユーザイクイップメントおよびＲＢＳそれぞれにおける色々な機能を示すただの例示的ブロック図である。そして、送信機３２、３６および受信機３１、３７が多に角送信機／受信機で示されているとしても、それらはいくつかの送信機／受信機チェーンからなるものであって、したがって複数のアンテナポートを通して信号を送信／受信するものであってもよい。
【００３２】
このように、本発明の好ましい実施形態によれば、通信ネットワークにおける無線資源の割当てを容易にするユーザイクイップメントにおける手続は、図４に示すが、以下のとおりである。
１）測定パイロット信号に基づいてＣＱＩ報告を作成する（ステップ４１）。
２）デュアルストリーム送信がＵＥにとって好ましい場合、品質の、または２つのストリーム間の品質における差異の情報をＣＱＩ報告スキームに入力する（ステップ４２）、上述のように第１の、例えば５ビットはＣＱＩ１に対応し、一方で残りの４ビットはＣＱＩ１とＣＱＩ２との間の差異を記述するか、あるいは、５ビットがＣＱＩ１に対応し、残りの４ビットがＣＱＩ２に対応する。
３）上述のように、シングルストリーム送信がＵＥによって示される場合、デュアルストリームがＲＢＳによって選択される場合に品質がどれほど悪くなるかの情報を入力する（ステップ４３）。
４）作成したＣＱＩ報告をＲＢＳへ送信し（ステップ４４）、それによりＲＢＳはＣＱＩ報告スキームに基づいてスケジューリング決定を行うことが可能になる。
【００３３】
本発明の好ましい実施形態によれば、通信ネットワークにおける無線資源の割当てを容易にするＲＢＳのような通信ネットワークノードにおける手続は、図５に示すが、以下のとおりである。
１）ＵＥからＣＱＩ報告を受信する（ステップ５１）。
２）上述のように、ＣＱＩ報告スキームの所定のビットをチェックして（ステップ５２）、ＵＥが示すのはシングルストリームかマルチストリームかを確かめる。
３）デュアルストリームが示される場合、品質の、または２つのストリーム間の品質における差異の情報を導出する（ステップ５３）、上述のように、第１の、例えば５ビットがＣＱＩ１に対応し、一方で残りの４ビットはＣＱＩ１とＣＱＩ２との間の差異を記述するか、あるいは５ビットがＣＱＩ１に対応し、一方で残りの４ビットがＣＱＩ２に対応する。
４）上述のように、シングルストリーム送信が示される場合、デュアルストリームがＲＢＳによって選択されると品質がどれほど悪くなるかの情報を受信する（ステップ５４）。
５）受信情報に基づいて使用可能な無線資源を割り当てる（ステップ５５）、すなわちＣＱＩ報告スキームで受信した情報に基づいてスケジューリング決定を行う。しかしながら、スケジューリング決定は、ＲＢＳにおける使用可能な資源やサービス品質の制約、特定のユーザにとってのデータの使用可能性等の他の収集情報にも基づく。
【００３４】
ここで開示するＣＱＩ報告スキームの効果は２つある。第１に、それはシングルおよびデュアルストリームＣＱＩの両方の必要性を削減する。するとこれはＵＬ信号送信オーバーヘッドを削減するか、または高速フェーディングに対してより良い調整を可能とすることになる（選択肢が、おそらくはＴＤＭ方式のシングルおよびデュアルストリームの両方に対するＣＱＩをフィードバックすることである場合）。第２の効果は、これがＳＤＭＡオペレーションの効率的サポートを可能とすることである。２ストリーム送信は、ストリームの片方に非常に高いＣＱＩを与え、非常に低いＣＱＩを他方に与える場合があり、この事実をスケジューラが活用して、このユーザに良いストリームのみを割り当てることとなり、一方で他のストリームは別のユーザに割り当てられる、ということに留意されたい。
【００３５】
シングルストリーム報告モードにおいて、最後の部分（この例では４ビット）は、第２のストリームが別のユーザに割り当てられる場合に、干渉のインパクトに関する情報を与えるため、ＲＢＳスケジューラがストリーム送信とＳＤＭＡとの間で適当に定めることを可能にする。
【００３６】
そのため、ＵＥが１ストリームまたは２ストリームを好むかを報告するかどうかにかかわらず、ＲＢＳスケジューラは、異なるユーザからのＣＱＩフィードバックプレコーディングフィードバックに基づいて、１ユーザへシングルストリームまたは２ストリームをスケジューリングするか、もしくはＳＤＭＡを使用して、異なるユーザ間で資源を分割するかどうかの通知決定を行うことが可能である。
【００３７】
上述の手続のうち少なくともいくつかは、送信機と受信機との間のチャネルの時間変動特性に対応する必要があるならそれぞれ実行される、ということが了解されるであろう。理解を容易にするために、例えばプログラム可能コンピュータシステムのエレメントがとる行動のシーケンスについて、本発明の多くの観点を説明した。専門回路（例えば専門機能を行うために相互接続された離散論理ゲート、または特定用途向け集積回路）によって、１または２以上のプロセッサが実行するプログラム命令によって、またはその両方の組合せによって様々な行動がとられる、ということが認識されるであろう。
【００３８】
さらに、本発明は、コンピュータベースのシステム、プロセッサ含有システム、または媒体から命令をフェッチして実行可能な他のシステムのような命令実行システムまたは装置が使用するまたは関連する命令の適当な組を格納したコンピュータ読出可能格納媒体のいかなる形態の内で全体的に実施されると追加的に考えることもできる。ここで用いるように、「コンピュータ読出可能媒体（ｃｏｍｐｕｔｅｒ‐ｒｅａｄａｂｌｅ  ｍｅｄｉｕｍ）」は、命令実行システムまたは装置が使用するまたは関連するプログラムを含有、格納、通信、伝搬または搬送可能ないかなる手段であってもよい。コンピュータ読出可能媒体は、例えば電気、磁気、光、電磁気、赤外線または半導体システム、装置または伝搬媒体であってもよいが、これらに限定されるものではない。コンピュータ読出可能媒体のさらに特別な例（限定的リスト）には、１または２以上のワイヤを有する電気的接続と、ポータブルコンピュータディスクと、ランダムアクセスメモリ（ＲＡＭ：ｒａｎｄｏｍ  ａｃｃｅｓｓ  ｍｅｍｏｒｙ）と、読出専用メモリ（ＲＯＭ：ｒｅａｄ  ｏｎｌｙ  ｍｅｍｏｒｙ）と、消去可能プログラム可能読出専用メモリ（ＥＰＲＯＭ：ｅｒａｓａｂｌｅ  ｐｒｏｇｒａｍｍａｂｌｅ  ｒｅａｄ  ｏｎｌｙ  ｍｅｍｏｒｙまたはフラッシュメモリ）と、光ファイバと、ポータブルコンパクトディスク読出専用メモリ（ＣＤ‐ＲＯＭ：ｃｏｍｐａｃｔ  ｄｉｓｃ  ｒｅａｄ  ｏｎｌｙ  ｍｅｍｏｒｙ）とが含まれる
【００３９】
このように、本発明の新規的特徴を、その好適な実施形態に適用ながら図示、説明および指摘したが、当業者ならば、説明した装置の形態および詳細について、およびそのオペレーションについて様々な省略および差替えおよび変更を、本発明の趣旨を逸脱することなく行うことが可能である、ということが理解されるであろう。例えば、実質的に同一のやり方で実質的に同一の機能を行って同一の結果を得るエレメントおよび／または方法ステップの全組合せは本発明の範囲内である、ということが明示的に意図される。さらに、本発明の開示されたいずれかの形態または実施形態に関して図示および／または説明される構造および／またはエレメントおよび／または方法ステップは、デザイン選択の一般的問題として、開示または説明または提案された他のいかなる形態または実施形態に組み入れることも可能である、ということが認識されるであろう。したがって、ここに添付する特許請求の発明範囲で示されるように制限されることが意図である。
【００４０】
「ｉｎｃｌｕｄｉｎｇ（含む／備える）」、「ｃｏｍｐｒｉｓｉｎｇ（含む／備える）」、「ｉｎｃｏｒｐｏｒａｔｉｎｇ（組み入れる）」、「ｃｏｎｓｉｓｔｉｎｇ  ｏｆ（からなる）」、「ｈａｖｅ（有する）」、「ｉｓ（である）」のような表現で本発明を説明し、請求しているのだが、非排他的に解釈されるということを意図しており、つまりは、明示的には説明していないアイテム、コンポーネントまたはエレメントも存在が許されるのである。単数形の言及は複数形にも関するとしても解釈され、逆もまた然りである。
【００４１】
添付の特許請求の範囲における括弧内に含まれる番号は特許請求の範囲の理解を助けるように意図され、この特許請求の範囲によって請求するサブジェクトマターを限定するようには如何様にも解釈されるべきものではない。
【図１】
2010507969.tif 000003
【図２】
2010507969.tif 000004
【図３】
2010507969.tif 000005
【図４】
2010507969.tif 000006
【図５】
2010507969.tif 000007
【国際調査報告】
2010507969.tif 000008
2010507969.tif 000009
2010507969.tif 000010
2010507969.tif 000011